(57)【要約】【課題】画像形成装置においてユーザが設定変更操作した各種機能に関する設定内容を確認する際の利便性を向上する。【解決手段】記憶部３は、ユーザ操作に応じて設定変更が行われた機能のリストである設定変更機能リスト、および各機能に関する直近に行われた設定変更操作に応じて設定された設定内容である現在の設定内容を記憶し、ＣＰＵ６は、ユーザ操作に応じて、設定変更機能リストに含まれる各機能に対応する各設定画面を表示／入力パネル２１に順次表示するフラッシュバック表示処理を行い、フラッシュバック表示処理において表示する各設定画面に、記憶部３に記憶されている各設定画面に対応する機能に関する現在の設定内容を反映して表示するよう制御する。【選択図】図１
2011197043.tif 000002
【特許請求の範囲】
【請求項１】
各機能に対応する設定画面を表示可能な表示部を備える画像形成装置であって、
ユーザ操作に応じて設定変更が行われた機能のリストである設定変更機能リスト、および各機能に関する直近に行われた設定変更操作に応じて設定された設定内容である現在の設定内容を記憶する記憶部と、
ユーザ操作に応じて、前記設定変更機能リストに含まれる各機能に対応する各設定画面を前記表示部に順次表示するフラッシュバック表示処理を行い、前記フラッシュバック表示処理において表示する前記各設定画面に、前記記憶部に記憶されている前記各設定画面に対応する機能に関する前記現在の設定内容を反映して表示するよう制御する制御部と
を備えることを特徴とする画像形成装置。
【請求項２】
前記制御部は、前記フラッシュバック表示処理における前記各設定画面の表示時において、前記各設定画面で設定可能な各項目のうち、前記現在の設定内容が初期設定の内容と異なっている項目を強調表示するよう制御することを特徴とする請求項１に記載の画像形成装置。
【請求項３】
前記制御部は、前記フラッシュバック表示処理において、前記設定変更機能リストに含まれる各機能に対して前記現在の設定内容への設定変更が行われた時刻に基づいて、各機能に対応する前記各設定画面を前記表示部に順次表示するよう制御することを特徴とする請求項１または２に記載の画像形成装置。
【請求項４】
前記制御部は、前記フラッシュバック表示処理における前記各設定画面の表示中に、設定変更操作が行われた場合、設定変更後の設定内容を前記記憶部に記憶するよう制御することを特徴とする請求項１乃至３のいずれか１項に記載の画像形成装置。
【発明の詳細な説明】
【技術分野】
【０００１】
本発明は、設定画面を介してユーザ操作を受け付けて各種機能に関する設定を行う画像形成装置に関する。
【背景技術】
【０００２】
複写機、プリンタ装置、あるいはそれらの複合装置等の画像形成装置では、一般に、各種機能に関する設定を行うための設定画面を液晶表示パネルに表示し、液晶表示パネル上に配置されたタッチパネルでユーザの操作を受け付け、その操作内容に応じて設定を行う。
【０００３】
近年の画像形成装置では、その多機能化にともない、さまざまな設定画面が用意されており、ユーザは、各種設定画面で設定変更操作を行った内容を確認したくなることがある。
【０００４】
そこで、画像形成装置においてユーザ操作に応じて設定変更した機能を一覧表示する技術が提案されている（例えば、特許文献１参照）。
【先行技術文献】
【特許文献】
【０００５】
【特許文献１】特許第３１８０９１２号公報
【発明の概要】
【発明が解決しようとする課題】
【０００６】
特許文献１の技術では、まず、設定変更を行った機能を一覧表示し、この一覧表示画面からユーザが選択した機能に対応する設定画面を表示する。これにより、ユーザは、過去に設定変更操作した際の設定内容を確認することができる。
【０００７】
しかしながら、ユーザが複数の機能における設定内容を続けて確認したい場合、いったん一覧表示画面に戻ってから、再度機能を選択しなおす必要があり、ユーザにとって不便であった。
【０００８】
本発明は上記に鑑みてなされたもので、ユーザが設定変更操作した各種機能に関する設定内容を確認する際の利便性を向上することができる画像形成装置を提供することを目的とする。
【課題を解決するための手段】
【０００９】
上記目的を達成するため、本発明に係る画像形成装置の第１の特徴は、各機能に対応する設定画面を表示可能な表示部を備える画像形成装置であって、ユーザ操作に応じて設定変更が行われた機能のリストである設定変更機能リスト、および各機能に関する直近に行われた設定変更操作に応じて設定された設定内容である現在の設定内容を記憶する記憶部と、ユーザ操作に応じて、前記設定変更機能リストに含まれる各機能に対応する各設定画面を前記表示部に順次表示するフラッシュバック表示処理を行い、前記フラッシュバック表示処理において表示する前記各設定画面に、前記記憶部に記憶されている前記各設定画面に対応する機能に関する前記現在の設定内容を反映して表示するよう制御する制御部とを備えることにある。
【００１０】
本発明に係る画像形成装置の第２の特徴は、前記制御部は、前記フラッシュバック表示処理における前記各設定画面の表示時において、前記各設定画面で設定可能な各項目のうち、前記現在の設定内容が初期設定の内容と異なっている項目を強調表示するよう制御することにある。
【００１１】
本発明に係る画像形成装置の第３の特徴は、前記制御部は、前記フラッシュバック表示処理において、前記設定変更機能リストに含まれる各機能に対して前記現在の設定内容への設定変更が行われた時刻に基づいて、各機能に対応する前記各設定画面を前記表示部に順次表示するよう制御することにある。
【００１２】
本発明に係る画像形成装置の第４の特徴は、前記制御部は、前記フラッシュバック表示処理における前記各設定画面の表示中に、設定変更操作が行われた場合、設定変更後の設定内容を前記記憶部に記憶するよう制御することにある。
【００１３】
本発明に係る画像形成装置において、前記制御部は、前記フラッシュバック表示処理において、前記設定変更機能リストに含まれる各機能に対応する前記各設定画面を一通り表示した後、所定の基本画面を前記表示部に表示するよう制御するようにしてもよい。
【発明の効果】
【００１４】
本発明に係る画像形成装置の第１の特徴によれば、ユーザが設定変更操作した各機能に対応する各設定画面を表示部に順次表示するフラッシュバック表示処理を行い、このフラッシュバック表示処理において表示する各設定画面に現在の設定内容を反映して表示することで、ユーザが設定変更操作した各機能に関する設定内容を確認する際の利便性を向上することができる。
【００１５】
本発明に係る画像形成装置の第２の特徴によれば、現在の設定内容が初期設定の内容と異なっている項目を強調表示することで、設定変更した項目をユーザに容易に認識させることができる。
【００１６】
本発明に係る画像形成装置の第３の特徴によれば、フラッシュバック表示処理において、各機能における現在の設定内容への設定変更が行われた時刻に基づいて、各機能に対応する各設定画面を順次表示することで、設定変更操作時のユーザの記憶を呼び起こしやすくすることができる。
【００１７】
本発明に係る画像形成装置の第４の特徴によれば、フラッシュバック表示処理における各設定画面の表示中に設定変更を行うことができ、より利便性が向上する。
【図面の簡単な説明】
【００１８】
【図１】本発明の実施の形態に係る画像形成装置の構成を示すブロック図である。
【図２】操作パネル部の構成例を示す図である。
【図３】設定画面のフラッシュバック表示を説明するための図である。
【図４】設定変更機能リストの内容の一例を示す図である。
【図５】設定情報の内容の一例を示す図である。
【図６】図１に示す画像形成装置において設定画面のフラッシュバック表示を行う際の動作を示すフローチャートである。
【図７】図１に示す画像形成装置において設定画面のフラッシュバック表示を行う際の動作を示すフローチャートである。
【図８】設定履歴情報の内容の一例を示す図である。
【図９】設定変更の履歴を確認可能とする設定画面の一例を示す図である。
【発明を実施するための形態】
【００１９】
以下、本発明の実施の形態について、図面を参照して説明する。
【００２０】
図１は、本発明の実施の形態に係る画像形成装置の構成を示すブロック図である。図１に示すように本実施の形態に係る画像形成装置１は、操作パネル部２と、記憶部３と、スキャナ部４と、画像形成部５と、ＣＰＵ６と、ＲＯＭ７と、ＲＡＭ８とを備える。
【００２１】
操作パネル部２は、図２に示すように、表示／入力パネル２１と、各種操作ボタンとを備え、ユーザの入力操作を受け付け、操作に基づく操作信号を出力するものであり、操作受付部として機能する。
【００２２】
表示／入力パネル２１は、前面に配置された感圧式あるいは静電式の透明なタッチパネルと、このタッチパネルの裏面に配置された液晶表示パネル（いずれも図示せず）とを有し、操作受付部の一部としての機能と表示部としての機能とを併せ持つ。ユーザは、液晶表示パネルの表示画面を見ながら、タッチパネルの表面を指などで直接触れることで入力操作を行うことができる。
【００２３】
表示／入力パネル２１は、通常時には、図３に示すような、ホームポジションとなる基本画面３０を表示する。基本画面３０には、例えば、コピーを行う際のカラーモード選択機能、変倍設定機能等の各種機能から設定変更を行う機能をユーザに選択させるための各種の機能設定ボタン３１が表示される。基本画面３０において、いずれかの機能設定ボタン３１がユーザ操作により選択されると、表示／入力パネル２１は、選択された機能における各種設定項目に対する設定変更操作を受け付けるための設定画面を表示する。
【００２４】
また、操作パネル部２には、後述するフラッシュバック表示処理を開始する指示を受け付けるためのフラッシュバックボタン２２が設けられている。
【００２５】
記憶部３は、ハードディスク等の不揮発性の記憶媒体を有し、ユーザ操作により設定変更が行われた機能のリストである設定変更機能リスト、および各機能に関する現在の設定内容を示す設定情報を記憶する。また、記憶部３は、各機能における各設定項目の初期設定の内容も記憶している。
【００２６】
図４は、記憶部３が記憶する設定変更機能リストの内容の一例を示す図である。図４に示すように、設定変更機能リストは、ユーザ操作により設定変更が行われた機能と、各機能における直近の設定変更が行われた時刻である設定変更時刻とを対応付けて保持している。
【００２７】
図５は、記憶部３が記憶する設定情報の内容の一例を示す図である。図５に示すように、設定情報には、画像形成装置１においてユーザが設定可能な各機能における設定項目と、各設定項目の現在の設定内容とが含まれる。
【００２８】
スキャナ部４は、被複写物である原稿を光学的に読み取り、読み取った原稿の画像データを出力する。画像形成部５は、インクジェット方式、孔版印刷方式等の印刷機構を有し、スキャナ部４で読み取った原稿の画像データ等に基づいて、用紙等の印刷媒体に画像を形成する。
【００２９】
ＣＰＵ６は、制御プログラムに応じた処理を行うことによって、画像形成装置１全体の動作を制御するものであり、本発明に係る制御部として機能する。制御内容として、例えば、ＣＰＵ６は、スキャナ部４で読み取った原稿の画像データに基づいて画像形成部５により画像形成を行うよう制御する。
【００３０】
また、ＣＰＵ６は、基本画面３０の表示時にフラッシュバックボタン２２が押下されるとフラッシュバック表示モードに移行し、表示／入力パネル２１に各設定画面のフラッシュバック表示を行うよう制御する。フラッシュバック表示は、ユーザ操作に応じて設定変更が行われた各機能に対応する各設定画面を表示／入力パネル２１に順次表示するものであり、フラッシュバック表示において表示する各設定画面には、対応する機能に関する直近に行われた設定変更操作に応じて設定された内容である現在の設定内容を反映して表示する。
【００３１】
ＲＯＭ７は、ＣＰＵ６の動作のための制御プログラム等を格納する。ＲＡＭ８は、制御プログラムの実行の際にＣＰＵ６のワーク領域として使用されるメモリである。
【００３２】
次に、画像形成装置１の動作について説明する。
【００３３】
基本画面３０の表示時において、いずれかの機能設定ボタン３１がユーザ操作により選択されると、ＣＰＵ６は、選択された機能に対応する設定画面を表示／入力パネル２１に表示させる。ユーザは、表示／入力パネル２１に表示された、図３における設定画面４０（４０−１，４０−２，…）のような設定画面を見ながら、操作パネル部２により各設定項目の設定変更操作を行うことができる。
【００３４】
ユーザによる設定変更操作が行われると、ＣＰＵ６は、設定変更操作された機能に関する記憶部３内の設定情報を、変更後の設定内容に基づいて更新する。それとともに、ＣＰＵ６は、図示しないタイマから現在の時刻を取得して、設定変更操作された機能の設定変更機能リストにおける設定変更時刻を現在の時刻に更新する。設定変更操作された機能が設定変更機能リストに含まれていない機能である場合、つまり初期設定から初めて設定変更する機能である場合は、ＣＰＵ６は、その機能と現在時刻とを設定変更機能リストに追加する。
【００３５】
以上のようにして、図４に示した設定変更機能リスト、および図５に示した設定情報が生成、更新される。この設定変更機能リストおよび設定情報は、設定画面のフラッシュバック表示の際に用いられる。
【００３６】
この設定画面のフラッシュバック表示を行う際の画像形成装置１の動作について、図６および図７に示すフローチャートを参照して説明する。
【００３７】
図６および図７に示すフローチャートの処理は、基本画面３０の表示時において、ユーザにより操作パネル部２のフラッシュバックボタン２２が押下されるのに応じて開始となる。
【００３８】
ステップＳ１０において、ＣＰＵ６は、記憶部３の設定変更機能リストを参照して、これまでにユーザ操作に応じて設定変更が行われた機能があるか否かを判断する。設定変更が行われた機能がある場合（ステップＳ１０：ＹＥＳ）、ステップＳ２０に進み、設定変更が行われた機能がない、つまり設定変更機能リストに何も機能が登録されていない場合（ステップＳ１０：ＮＯ）、そのまま処理を終了する。
【００３９】
ステップＳ２０では、ＣＰＵ６は、設定変更機能リストに含まれる機能のうち設定変更時刻が現在に直近の機能に対応する設定画面を表示／入力パネル２１に表示するよう制御する。これにより、図３に示すように、表示／入力パネル２１の表示が基本画面３０から、設定変更時刻が現在に直近の機能に対応する設定画面４０−１に切り替わる。
【００４０】
図３に示すように、設定画面４０（４０−１，４０−２，…）には、各種設定項目を設定するための各種ボタンの他に、「確定」ボタン４１および「取消」ボタン４２が表示される。本実施の形態におけるフラッシュバック表示モードにおいては、「確定」ボタン４１は、次の設定画面への移行の指示を受け付けるためのボタンとして機能し、「取消」ボタン４２は、フラッシュバック表示モードを終了する指示を受け付けるためのボタンとして機能する。
【００４１】
フラッシュバック表示モードにおいて設定画面４０を表示／入力パネル２１に表示する際、ＣＰＵ６は、記憶部３内の設定情報を参照して、設定画面４０に対応する機能に関する現在の設定内容を反映して表示するよう制御する。
【００４２】
例えば、図３に示すように、設定画面４０−１がガンマ調整機能に対応した設定画面であり、図５に示すように、ガンマ調整機能における「Ｃ〜Ｒ」、「Ｍ〜Ｇ」、「Ｙ〜Ｂ」、「Ｋ」の色バランスの現在の設定値がそれぞれ「６」、「３」、「５」、「４」であるとする。この場合、ＣＰＵ６は、図３に示すように、設定画面４０−１において、「Ｃ〜Ｒ」、「Ｍ〜Ｇ」、「Ｙ〜Ｂ」、「Ｋ」の色バランスの調整値に対応する各ボタンのうち、上記現在の設定値である「６」、「３」、「５」、「４」のボタンを他のボタンとは異なる色で表示するとともに、調整画像表示部４３に現在の設定値に応じた調整後の画像イメージを表示するよう制御する。
【００４３】
なお、この際、現在の設定内容が、画像形成装置１における初期設定の内容と異なっている項目を強調表示するようにしてもよい。例えば、上記のガンマ調整機能の例において、各色バランスの調整値の初期設定がすべて「４」であったとすれば、「Ｋ」の調整値は初期設定のままで、「Ｃ〜Ｒ」、「Ｍ〜Ｇ」、「Ｙ〜Ｂ」については初期設定から設定変更されている。この場合において、ＣＰＵ６は、「Ｃ〜Ｒ」、「Ｍ〜Ｇ」、「Ｙ〜Ｂ」における「６」、「３」、「５」のボタンを反転点滅させる等の強調表示をするよう制御する。このようにすれば、設定変更した項目をユーザに容易に認識させることができる。
【００４４】
ここで、ユーザは、このフラッシュバック表示における設定画面４０の表示中に、現在の設定から設定変更したい場合は、操作パネル部２により設定変更操作を行えばよい。
【００４５】
ステップＳ３０では、ＣＰＵ６は、「確定」ボタン４１が選択されたか否かを判断する。「確定」ボタン４１が選択された場合（ステップＳ３０：ＹＥＳ）、ステップＳ４０に進み、「確定」ボタン４１が選択されていない場合（ステップＳ３０：ＮＯ）、図７のステップＳ９０に進む。
【００４６】
ステップＳ４０では、ＣＰＵ６は、「確定」ボタン４１の選択前に、ユーザによる設定画面４０における設定項目の設定変更操作があったか否かを判断する。設定変更操作があった場合（ステップＳ４０：ＹＥＳ）、ステップＳ５０に進み、設定変更操作がなかった場合（ステップＳ４０：ＮＯ）、ステップＳ６０に進む。
【００４７】
ステップＳ５０では、ＣＰＵ６は、設定変更操作された機能に関する記憶部３内の設定情報を、変更後の設定内容に基づいて更新するともに、設定変更操作された機能の設定変更機能リストにおける設定変更時刻を現在の時刻に更新する。その後、ステップＳ６０に進む。
【００４８】
ステップＳ６０では、ＣＰＵ６は、フラッシュバック表示を開始してから、設定変更機能リスト内のすべての機能に対応する設定画面４０を表示したか否かを判断する。設定変更機能リスト内のすべての機能に対応する設定画面４０を表示した場合（ステップＳ６０：ＹＥＳ）、ステップＳ７０において、ＣＰＵ６は、表示／入力パネル２１の表示を基本画面３０に戻すよう制御する。
【００４９】
設定変更機能リスト内にまだ設定画面を表示していない機能がある場合（ステップＳ６０：ＮＯ）、ステップＳ８０において、ＣＰＵ６は、設定変更機能リスト内の機能のうち、現在表示中の設定画面４０に対応する機能より時系列的に１つ前に設定変更された機能に対応する設定画面４０を表示／入力パネル２１に表示するよう制御する。その後、ステップＳ３０に戻り、以降の処理を繰り返す。
【００５０】
以上により、図３に示すように、設定変更機能リストに含まれる各機能に対応する各設定画面４０−１，…，４０−Ｎが一通り表示されると、表示／入力パネル２１の表示が基本画面３０に戻る。
【００５１】
図７のステップＳ９０では、ＣＰＵ６は、「取消」ボタン４２が選択されたか否かを判断する。「取消」ボタン４２が選択された場合（ステップＳ９０：ＹＥＳ）、ＣＰＵ６は、図６のステップＳ７０において、表示／入力パネル２１の表示を基本画面３０に戻し、フラッシュバック表示モードを終了する。
【００５２】
「取消」ボタン４２が選択されていない場合（ステップＳ９０：ＮＯ）、ステップＳ１００において、ＣＰＵ６は、フラッシュバックボタン２２が押下されたか否かを判断する。フラッシュバックボタン２２が押下された場合（ステップＳ１００：ＹＥＳ）、ステップＳ１１０に進み、フラッシュバックボタン２２が押下されていない場合（ステップＳ１００：ＮＯ）、図６のステップＳ３０に戻る。ここで、フラッシュバックボタン２２は、フラッシュバック表示モード中は、表示／入力パネル２１の表示を１つ前の表示画面に戻す指示を受け付けるボタンとして機能する。
【００５３】
ステップＳ１１０では、ＣＰＵ６は、現在表示／入力パネル２１に表示中の設定画面４０の１つ前に表示していた画面が基本画面３０であるか否かを判断する。基本画面３０である場合（ステップＳ１１０：ＹＥＳ）、ＣＰＵ６は、図６のステップＳ７０において、表示／入力パネル２１の表示を基本画面３０に戻し、フラッシュバック表示モードを終了する。
【００５４】
１つ前の表示画面が基本画面３０ではない場合（ステップＳ１１０：ＮＯ）、ステップＳ１２０において、ＣＰＵ６は、表示／入力パネル２１の表示を１つ前に表示していた設定画面４０に戻すよう制御する。その後、図６のステップＳ３０に戻り、以降の処理を繰り返す。
【００５５】
以上説明したように本実施の形態では、設定変更機能リストに含まれる各機能に対応する各設定画面４０を、ユーザの「確定」ボタン４１の操作に応じて表示／入力パネル２１に順次表示し、各設定画面４０には現在の設定内容を反映して表示する。これにより、ユーザが設定変更操作した各機能に関する設定内容を、実際に操作を行った設定画面により示すのでユーザにとって確認しやすく、また、複数の機能の設定内容を続けて確認できて便利である。
【００５６】
また、各設定画面４０を、対応する各機能における現在の設定内容への設定変更時刻が現在に近いものから過去にさかのぼる順で表示するので、設定変更操作時のユーザの記憶を呼び起こしやすくすることができる。
【００５７】
また、設定変更機能リストに含まれる機能に対応する設定画面４０−１，…，４０−Ｎを一通り表示すると、表示／入力パネル２１の表示を基本画面３０に戻すので、ユーザがどの機能の設定変更を行ったかを把握しやすくすることができる。
【００５８】
また、フラッシュバック表示における各設定画面４０においてユーザ操作により設定変更を行えるようにしたので、より利便性を向上することができる。
【００５９】
なお、フラッシュバック表示における各設定画面４０の表示順は、上述したような、対応する機能の設定変更時刻が現在に近いものから過去にさかのぼる順に限らず、その逆の、過去から現在に向かう順でもよい。また、予め各機能の優先順位を設定しておき、その優先順位に基づく順で、各機能に対応する設定画面４０を表示するようにしてもよい。
【００６０】
また、フラッシュバックボタン２２のような専用のボタンを設けず、例えば、図２の操作パネル部２における「＊」ボタン２３のような汎用のボタンに、本実施の形態のフラッシュバックボタン２２の機能を割り付けるようにしてもよい。また、表示／入力パネル２１にフラッシュバックボタン２２の機能を有するボタンを表示するようにしてもよい。
【００６１】
また、本実施の形態では、フラッシュバック表示モードにおいて、次の設定画面への移行の指示を受け付ける機能を「確定」ボタン４１に、フラッシュバック表示モードを終了する指示を受け付ける機能を「取消」ボタン４２に、表示を１つ前の表示画面に戻す指示を受け付ける機能をフラッシュバックボタン２２にそれぞれ持たせたが、これらの機能に専用のボタンを操作パネル部２に設けてもよいし、そのようなボタンを表示／入力パネル２１に表示するようにしてもよい。
【００６２】
また、本実施の形態では、現在の設定内容を示す設定情報を参照して、フラッシュバック表示処理において表示する設定画面に現在の設定内容を反映して表示したが、複数回の設定変更の履歴をユーザが設定画面から確認できるようにしてもよい。
【００６３】
この場合、画像形成装置１において、過去複数回分の設定変更の履歴を示す設定履歴情報を記憶部３に記憶しておく。図８は、この設定履歴情報の内容の一例を示す図である。図８に示すように、設定履歴情報には、各機能における各設定項目の現在の設定内容に加えて、最近の所定回数分の設定変更における設定内容と、それぞれの設定変更時刻とが含まれる。
【００６４】
そして、設定変更の履歴をユーザが確認可能とするために、フラッシュバック表示モードにおいて設定画面の表示を行う際、ＣＰＵ６は、図９に示すような設定画面４０Ａを表示する。図９に示すように、設定画面４０Ａは、図３に示した設定画面４０の表示内容に対して、矢印ボタン４４ａ，４４ｂと、設定指示ボタン４５とを追加した画面である。
【００６５】
矢印ボタン４４ａ，４４ｂは、設定画面４０Ａに表示される設定内容を設定履歴情報に基づいて切り替える指示を受け付けるためのボタンであり、設定指示ボタン４５は、現在表示中の設定内容で設定を行う指示を受け付けるためのボタンである。
【００６６】
例えば、フラッシュバック表示モードにおいて設定画面４０Ａの表示中にユーザ操作により矢印ボタン４４ａが選択された場合、ＣＰＵ６は、図８に示した設定履歴情報を参照して、現在表示している設定内容より時間的に１つ前の設定内容を反映した表示に切り替える。矢印ボタン４４ｂが選択された場合は逆に、ＣＰＵ６は、現在表示している設定内容より時間的に１つ後の設定内容を反映した表示に切り替える。
【００６７】
また、設定画面４０Ａにおいて設定指示ボタン４５が選択されてから「確定」ボタン４１が選択された場合、ＣＰＵ６は、現在表示中の設定内容と現在時刻とを設定履歴情報に追加するとともに、設定変更機能リスト内の次の機能に対応する設定画面４０Ａを表示／入力パネル２１に表示させる。
【００６８】
このようにすることで、ユーザが過去の複数回分の設定内容を確認し、必要に応じて過去の設定内容を再利用することができる。
【符号の説明】
【００６９】
１  画像形成装置
２  操作パネル部
３  記憶部
４  スキャナ部
５  画像形成部
６  ＣＰＵ
７  ＲＯＭ
８  ＲＡＭ
２１  表示／入力パネル
２２  フラッシュバックボタン
３０  基本画面
４０−１，…，４０−Ｎ，４０Ａ  設定画面
【図１】
2011197043.tif 000003
【図２】
2011197043.tif 000004
【図３】
2011197043.tif 000005
【図４】
2011197043.tif 000006
【図５】
2011197043.tif 000007
【図６】
2011197043.tif 000008
【図７】
2011197043.tif 000009
【図８】
2011197043.tif 000010
【図９】
2011197043.tif 000011